(57)【要約】【課題】ユーザが意図した様々なリズムを出力することができる電子機器、及びリズム出力方法を提供する。【解決手段】電子機器１００は、自機器の側面における接触の有無を判定し、接触が有ると判定した位置である接触位置を検知する操作部１１５（検知部）と、リズムを構成する拍の出力タイミングを、側面における接触位置の配置に基づいて算出する制御部１１１と、出力タイミングに拍を出力する出力部１１０とを備える。【選択図】図１
2013148657.tif 000002
【特許請求の範囲】
【請求項１】
自機器の側面における接触の有無を判定し、接触が有ると判定した位置である接触位置を検知する検知部と、
リズムを構成する拍の出力タイミングを、前記側面における前記接触位置の配置に基づいて算出する制御部と、
前記出力タイミングに前記拍を出力する出力部と
を備えることを特徴とする電子機器。
【請求項２】
前記制御部は、前記側面を走査する速度である読み込み速度に応じて、前記出力タイミングを算出することを特徴とする請求項１に記載の電子機器。
【請求項３】
自機器に加えられた加速度を検知する加速度センサ
を備え、
前記制御部は、前記加速度センサにより検知された前記加速度に応じて、前記読み込み速度を定めることを特徴とする請求項２に記載の電子機器。
【請求項４】
前記出力部は、前記拍として、音を出力することを特徴とする請求項１に記載の電子機器。
【請求項５】
前記検知部は、前記接触位置に加えられた圧力の強弱を検知し、
前記出力部は、前記検知部により検知された前記強弱に応じて、音を出力することを特徴とする請求項４に記載の電子機器。
【請求項６】
前記検知部は、前記接触位置に接触している指の種類を識別し、
前記出力部は、前記検知部により識別された前記指の種類に応じて、音を出力することを特徴とする請求項４又は請求項５に記載の電子機器。
【請求項７】
他の電子機器と音色データを送受信する通信部
を備え、
前記出力部は、前記通信部が受信した音色データにより定まる音色とは異なる音色の音を出力することを特徴とする請求項４から請求項６のいずれか一項に記載の電子機器。
【請求項８】
自機器の姿勢を検知する姿勢センサ
を備え、
前記制御部は、前記出力部により出力される音の音色及び音高のうち少なくとも一方を、前記姿勢センサにより検知された前記姿勢に応じて定めることを特徴とする請求項４から請求項７のいずれか一項に記載の電子機器。
【請求項９】
撮像するイメージセンサ
を備え、
前記出力部は、前記イメージセンサにより撮像された画像に応じて、音を出力することを特徴とする請求項４から請求項８のいずれか一項に記載の電子機器。
【請求項１０】
収音するマイク
を備え、
前記出力部は、前記マイクにより収音された音を出力することを特徴とする請求項４から請求項９のいずれか一項に記載の電子機器。
【請求項１１】
前記出力部は、前記拍として、自機器を振動させることを特徴とする請求項１から請求項１０のいずれか一項に記載の電子機器。
【請求項１２】
前記出力部は、前記拍として、画像を出力することを特徴とする請求項１から請求項１１のいずれか一項に記載の電子機器。
【請求項１３】
電子機器におけるリズム出力方法であって、
自機器の側面における接触の有無を判定し、接触が有ると判定した位置である接触位置を検知するステップと、
リズムを構成する拍の出力タイミングを、前記側面における前記接触位置の配置に基づいて算出するステップと、
前記出力タイミングに前記拍を出力するステップと
を有することを特徴とするリズム出力方法。
【発明の詳細な説明】
【技術分野】
【０００１】
本発明は、電子機器、及びリズム出力方法に関する。
【背景技術】
【０００２】
携帯情報端末などの電子機器として、特許文献１に開示された電子機器が知られている。特許文献１に開示された電子機器は、様々な情報を画面に表示することができる。
【先行技術文献】
【特許文献】
【０００３】
【特許文献１】特開２０１０−８６０８９号公報
【発明の概要】
【発明が解決しようとする課題】
【０００４】
しかしながら、特許文献１に開示された電子機器は、ユーザが意図したリズムを出力することができないという問題がある。
【０００５】
本発明は、前記の点に鑑みてなされたものであり、ユーザが意図した様々なリズムを出力することができる電子機器、及びリズム出力方法を提供することを目的とする。
【課題を解決するための手段】
【０００６】
本発明は、上記の課題を解決するためになされたものであり、自機器の側面における接触の有無を判定し、接触が有ると判定した位置である接触位置を検知する検知部と、リズムを構成する拍の出力タイミングを、前記側面における前記接触位置の配置に基づいて算出する制御部と、前記出力タイミングに前記拍を出力する出力部とを備えることを特徴とする電子機器である。
【０００７】
また、本発明は、電子機器におけるリズム出力方法であって、自機器の側面における接触の有無を判定し、接触が有ると判定した位置である接触位置を検知するステップと、リズムを構成する拍の出力タイミングを、前記側面における前記接触位置の配置に基づいて算出するステップと、前記出力タイミングに前記拍を出力するステップとを有することを特徴とするリズム出力方法である。
【発明の効果】
【０００８】
本発明によれば、電子機器は、ユーザが意図した様々なリズムを出力することができる。
【図面の簡単な説明】
【０００９】
【図１】本発明の第１実施形態における、電子機器の構成例を示すブロック図である。
【図２】本発明の第１実施形態における、電子機器の外観を示す斜視図である。
【図３】本発明の第１実施形態における、可動部が移動していない状態の電子機器の断面構成を示す図である。
【図４】本発明の第１実施形態における、可動部が移動した状態の電子機器の断面構成を示す図である。
【図５】本発明の第１実施形態における、検知部に指が接触した状態の電子機器の外観例を示す図である。
【図６】本発明の第１実施形態における、出力タイミングを定める方法を説明するための図である。
【図７】本発明の第１実施形態における、拍を出力する動作手順を示すフローチャートである。
【図８】本発明の第２実施形態における、電子機器の構成例を示すブロック図である。
【図９】本発明の第７実施形態における、電子機器の構成例を示すブロック図である。
【図１０】本発明の第８実施形態における、電子機器の構成例を示すブロック図である。
【発明を実施するための形態】
【００１０】
［第１実施形態］
本発明の第１実施形態について図面を参照して詳細に説明する。図１には、電子機器の構成例がブロック図により示されている。電子機器１００は、筐体の側面に接触したユーザの各指の配置（間隔）を検出し、検出した配置により定まる様々なリズムを出力する。ユーザは、電子機器１００の筐体の側面に接触させた指の配置を変えることにより、電子機器１００が出力するリズムを変化させることができる。
【００１１】
電子機器１００は、操作部１１５と、記憶部１１２と、制御部１１１と、出力部１１０とを備える。また、出力部１１０は、スピーカ１１４と、表示部１０と、振動部１６とを備える。
【００１２】
操作部１１５は、ユーザによる操作入力を受け付ける。図２には、電子機器の外観が斜視図により示されている。操作部１１５（図１を参照）は、表示部１０の表示面を囲む筐体の側面Ｆａ〜Ｆｄに、検知部２２Ａ〜２２Ｄを有する。以下、検知部２２Ａ〜Ｄに共通する事項については、Ａ〜Ｄの符号を省略し、「検知部２２」と表記する。検知部２２は、接触の有無を判定し、接触が有ると判定した位置である接触位置を検知する。以下、接触位置は、筐体の側面Ｆａ〜Ｆｄに接触したユーザの指の位置であるとして説明を続ける。
【００１３】
記憶部１１２は、音データを記憶する。例えば、音データは、楽器（ドラム、ギター等）の音色データでもよい。また、記憶部１１２は、出力するリズムのテンポを示すデータを記憶する。例えば、テンポを示すデータは、１分間に出力する拍の数（Ｂｅａｔｓ Ｐｅｒ Ｍｉｎｕｔｅ：ＢＰＭ）を示すデータでもよい。また、記憶部１１２は、表示部１０に表示させる画像データを記憶してもよい。また、記憶部１１２は、振動部１６の振動パターンを示す振動データを記憶してもよい。
【００１４】
制御部１１１は、音データ及びテンポデータを記憶部１１２から取得する。制御部１１１は、筐体側面を検知部２２が走査する際の待ち時間、すなわち、筐体側面を検知部２２が走査する速度（読み込み速度）を、テンポデータに基づいて定める。ここで、待ち時間は、リズムを構成する拍（例えば、音）が、予め定められたテンポで出力されるよう定められる。つまり、走査する際の待ち時間が短くなれば、検知部２２が走査する速度は速くなり、走査する際の待ち時間が長くなれば、検知部２２が走査する速度は遅くなる。
【００１５】
制御部１１１は、検知部２２が接触の有無を判定した位置から、筐体側面に沿って予め定められた距離だけ離れた位置に、検知部２２が接触の有無を次回判定する位置を定める。これにより、検知部２２は、次回判定する位置として制御部１１１により定められた位置について、次回、接触の有無を判定することになる。
【００１６】
制御部１１１は、接触の有無を検知部２２が判定した位置が接触位置であるか否かを判定する。制御部１１１は、接触の有無を検知部２２が判定した位置が接触位置である場合（出力タイミングに相当。図６（Ｂ）を参照）、リズムを構成する拍としての音を、音データが示す音色でスピーカ１１４から出力させる。また、制御部１１１は、接触の有無を検知部２２が判定した位置が接触位置である場合、リズムを構成する拍としての振動を、振動データが示す振動パターンで振動部１６から出力させてもよい。また、制御部１１１は、接触の有無を検知部２２が判定した位置が接触位置である場合、リズムを構成する拍としての画像を、画像データが示す画像で表示部１０から出力させてもよい。
【００１７】
スピーカ１１４は、制御部１１１による制御に応じて、音楽、操作音、報知音又は音声などの音を出力する。
【００１８】
表示部１０は、制御部１１１による制御に応じて、画像を表示する。表示部１０は、例えば、液晶表示パネル、有機ＥＬ（Ｅｌｅｃｔｒｏ‐Ｌｕｍｉｎｅｓｃｅｎｃｅ）パネルでもよい。また、表示部１０の表示面上には、タッチパネル（不図示）が備えられてもよい。また、そのタッチパネルが受け付けた操作入力に応じた信号は、制御部１１１に入力される。
【００１９】
振動部１６は、固定部、可動部及び駆動部を有する。図３には、可動部が移動していない状態の電子機器の断面構成が示されている。また、図４には、可動部が移動した状態の電子機器の断面構成が示されている。以下、説明のため、図３及び図４にＸＹＺ直交座標系を定める。具体的には、電子機器１００の各構成要素の積層方向をＺ方向と定める。また、Ｚ方向に直交する平面をＸＹ平面とし、ＸＹ平面において直交する方向をそれぞれＸ方向及びＹ方向と定める。
【００２０】
振動部１６は、制御部１１１による制御に応じて、振動を発生させる。固定部１６ａは、可動部１６ｂ及び駆動部を収容する。固定部１６ａは、例えば、円筒状に形成されており、ボトムカバー１５の開口部内に配置される。
【００２１】
可動部１６ｂは、電子機器１００の各構成要素の積層方向（Ｚ方向）に移動可能に設けられる。駆動部は、可動部１６ｂに接続されており、可動部１６ｂをＺ方向に往復移動させる。駆動部は、例えば、ボイスコイルモータである。
【００２２】
電子機器１００は、その筐体として、第一筐体部分１０１を備える。また、第一筐体部分１０１は、第二筐体部分１０２及びベース部１１を備える。また、第二筐体部分１０２は、カバー部材２６を備える。カバー部材２６は、電子回路を収容するため、電子機器１００の＋Ｚ側の端部を覆うよう備えられる。また、カバー部材２６は、検知部２２を備える。
【００２３】
カバー部材２６は、可動部１６ｂに接続される。これにより、カバー部材２６は、可動部１６ｂと一体でＺ方向に移動することができる。また、可動部１６ｂの振動がカバー部材２６に伝達されることにより、カバー部材２６は、Ｚ方向に振動する。
【００２４】
例えば、可動部１６ｂが＋Ｚ方向に移動する場合（図３を参照）、カバー部材２６及び検知部２２は、可動部１６ｂの移動に伴って＋Ｚ方向に移動する（図４を参照）。これにより、第一筐体部分１０１と第二筐体部分１０２との間が広がり、第一筐体部分１０１と第二筐体部分１０２との間で相対的な移動が実行される。
【００２５】
また、可動部１６ｂが−Ｚ方向に移動する場合（図３を参照）、カバー部材２６は、可動部１６ｂの移動に伴って−Ｚ方向へ移動する。これにより、第一筐体部分１０１と第二筐体部分１０２との間で相対的な移動が実行される。また、可動部１６ｂがＺ方向に往復移動することにより、カバー部材２６及び検知部２２が振動する。
【００２６】
次に、制御部１１１の詳細を説明する。
図５には、検知部に指が接触した状態の電子機器の外観例が示されている。制御部１１１（図１を参照）は、表示部１０の表示面を囲む筐体の側面に接触したユーザの各指の配置（間隔）に基づいて、様々なリズムを出力部１１０（図１を参照）から出力させる。
【００２７】
図６は、出力タイミングを定める方法を説明するための図である。図６（Ａ）には、図５に示す状態における、接触位置ｆ１〜ｆ５が示されている。ここで、接触位置ｆ１は、ユーザの小指が接触した位置である。また、接触位置ｆ２は、ユーザの薬指が接触した位置である。また、接触位置ｆ３は、ユーザの中指が接触した位置である。また、接触位置ｆ４は、ユーザの人差し指が接触した位置である。また、接触位置ｆ５は、ユーザの親指が接触した位置である。検知部２２は、制御部１１１が定めた読み込み速度で、接触位置ｆ１〜ｆ５を順次走査（スキャン）する。
【００２８】
また、検知部２２は、接触位置に接触している指の種類（例えば、親指、人差し指）を識別してもよい。例えば、検知部２２は、接触面積が最も大きい接触位置を、ユーザの親指が接触した位置であると識別してもよい。同様に、例えば、検知部２２は、接触面積が最も小さい接触位置を、ユーザの小指が接触した位置であると識別してもよい。
【００２９】
図６（Ｂ）には、検知された接触位置ｆ１〜ｆ５と、各接触位置を走査したタイミングｔ１〜ｔ５との対応関係が示されている。ここで、一例として、検知部２２Ａ、検知部２２Ｂ、検知部２２Ｃ、検知部２２Ｄの順に、走査が実行されたものとする。タイミングｔ１は、接触位置ｆ１が検知されたタイミングである。また、タイミングｔ２は、接触位置ｆ２が検知されたタイミングである。また、タイミングｔ３は、接触位置ｆ３が検知されたタイミングである。また、タイミングｔ４は、接触位置ｆ４が検知されたタイミングである。また、タイミングｔ５は、接触位置ｆ５が検知されたタイミングである。
【００３０】
制御部１１１は、タイミングｔ１〜ｔ５のそれぞれの時間間隔と同様の出力タイミングを定める。なお、出力タイミングは、タイミングｔ１〜ｔ５を一つの周期として、周期的に繰り返されてもよい（ループ動作）。
【００３１】
次に、拍を出力する動作手順を説明する。
図７は、拍を出力する動作手順を示すフローチャートである。制御部１１１は、音データを記憶部１１２から取得する（ステップＳ１）。制御部１１１は、テンポデータを記憶部１１２から取得する（ステップＳ２）。制御部１１１は、テンポデータ基づいて、待ち時間を定める（ステップＳ３）。制御部１１１は、走査する際の待ち時間が経過するまで待つ（ステップＳ４）。
【００３２】
そして、制御部１１１は、接触の有無を検知部２２が判定した位置が接触位置であるか否かを判定する（ステップＳ５）。接触の有無を検知部２２が判定した位置が接触位置である場合（ステップＳ５−Ｙｅｓ）、制御部１１１は、リズムを構成する拍としての音を、音データが示す音色でスピーカ１１４から出力させる（ステップＳ６）。また、制御部１１１は、操作入力等による終了指示があるか否かを判定する（ステップＳ７）。終了指示がある場合（ステップＳ７−Ｙｅｓ）、制御部１１１は、リズムを構成する拍としての音を出力させる処理を終了させる。
【００３３】
一方、ステップＳ５において、接触の有無を検知部２２が判定した位置が接触位置でない場合（ステップＳ５−Ｎｏ）、制御部１１１は、ステップＳ７に処理を進める。また、ステップＳ７において、終了指示がない場合（ステップＳ７−Ｎｏ）、制御部１１１は、今回判定した位置から、筐体側面に沿って予め定められた距離だけ離れた位置に、次回判定する位置を定める。これにより、検知部２２は、次回判定する位置と定められた位置について、次回のステップＳ５において、接触の有無を判定することになる。
【００３４】
以上のように、電子機器１００は、自機器の側面における接触の有無を判定し、接触が有ると判定した位置である接触位置を検知する操作部１１５（検知部２２）と、リズムを構成する拍の出力タイミングを、前記側面における前記接触位置の配置に基づいて算出（検出）する制御部１１１と、前記出力タイミングに前記拍を出力する出力部１１０（スピーカ１１４、表示部１０、振動部１６）とを備える。
この構成により、制御部１１１は、リズムを構成する拍の出力タイミングを、前記側面における前記接触位置の配置に基づいて算出する。これにより、電子機器１００は、側面に接触する指の配置により、ユーザが意図した様々なリズムを出力することができる。また、電子機器１００は、側面をこする指の位置の変動により、様々なリズムをビブラートさせることができる。
【００３５】
また、制御部１１１は、前記側面を走査（スキャン）する速度である読み込み速度に応じて、前記出力タイミングを算出する。これにより、制御部１１１は、リズムのテンポを変更することができる。
【００３６】
また、出力部１１０は、前記拍として、音を出力する。これにより、出力部１１０（スピーカ１１４）は、音でリズムを表現することができる。また、出力部１１０は、前記拍として、自機器を振動させる。これにより、出力部１１０（振動部１６）は、筐体を振動させることにより、リズムを表現することができる。また、出力部１１０は、前記拍として、画像を出力する。これにより、出力部１１０（表示部１０）は、リズムを表現する所定画像を表示することができる。
【００３７】
［第２実施形態］
第２実施形態では、電子機器が振られた（シェイクされた）速度に応じて、拍を出力するテンポが変更される点が、第１実施形態と異なる。以下では、第１実施形態との相違点についてのみ説明する。
【００３８】
図８には、電子機器の構成例がブロック図により示されている。電子機器１００は、センサ１１７をさらに備える。センサ１１７は、自機器に加えられた加速度を検知する。制御部１１１は、センサ１１７により検知された加速度に応じて、読み込み速度を定める。ここで、制御部１１１は、電子機器１００が振られた（シェイクされた）速度を、加速度を積算することで算出してもよい。また、制御部１１１は、算出した読み込み速度に相当するテンポで、出力部１１０から拍を出力させる。
【００３９】
以上のように、電子機器１００は、自機器に加えられた加速度を検知するセンサ１１７を備え、制御部１１１は、センサ１１７により検知された前記加速度に応じて、前記読み込み速度を定める。
この構成により、制御部１１１は、センサ１１７により検知された前記加速度に応じて、前記読み込み速度を定める。これにより、電子機器１００は、電子機器１００が振られた加速度又は速度に応じて、リズムのテンポを変更することができる。
【００４０】
［第３実施形態］
第３実施形態では、指による接触の強弱を音の大小に反映させる点が、第１及び第２実施形態と異なる。以下では、第１及び第２実施形態との相違点についてのみ説明する。
【００４１】
検知部２２（図２を参照）は、接触位置に加えられた圧力の強弱を検知する。制御部１１１は、検知部２２が検知した圧力の強弱に応じた音量の音を、スピーカ１１４から出力させる。また、制御部１１１は、検知部２２が検知した圧力の強弱に応じた画像（例えば、色が変化する画像）を、表示部１０から出力させてもよい。また、制御部１１１は、検知部２２が検知した圧力の強弱に応じた振動パターンで、振動部１６を振動させてもよい。
【００４２】
以上のように、操作部１１５（検知部２２）は、前記接触位置に加えられた圧力の強弱を検知し、出力部１１０は、操作部１１５により検知された圧力の強弱に応じて、音を出力する。例えば、出力部１１０は、圧力の強弱に応じて音量を変化させてもよい。
この構成により、出力部１１０は、操作部１１５により検知された圧力の強弱に応じて、音を出力する。これにより、電子機器１００は、筐体の側面に接触した指により加えられた圧力の強弱に応じて、音量を変化させることができる。
【００４３】
［第４実施形態］
第４実施形態では、各指（例えば、親指、人差し指）を識別し、各指に音色及び音高を割り当てる点が、第１〜第３実施形態と異なる。以下では、第１〜第３実施形態との相違点についてのみ説明する。
【００４４】
制御部１１１は、検知部２２（図２及び図６を参照）により識別された指の種類毎に、音色及び音高を割り当てる。制御部１１１は、検知部２２が検知した指の種類毎の音色の音を、スピーカ１１４から出力させる。例えば、制御部１１１は、ユーザの親指が接触した位置による音には、楽器のドラム音を割り当ててもよい。また、制御部１１１は、ユーザの人差し指が接触した位置による音には、楽器のギター音を割り当ててもよい。
【００４５】
以上のように、操作部１１５（検知部２２）は、前記接触位置に接触している指の種類（例えば、親指、人差し指）を識別し、出力部１１０は、操作部１１５（検知部２２）により識別された前記指の種類に応じて、音を出力する。例えば、出力部１１０は、前記指の種類に応じて、音色を変化させてもよい。
この構成により、出力部１１０は、操作部１１５（検知部２２）により識別された前記指の種類に応じて、音を出力する。これにより、電子機器１００は、筐体の側面に接触した指の種類に応じて、音色及び音高を変化させることができる。
【００４６】
［第５実施形態］
第５実施形態では、拍としての音を出力する際、複数の音色が出力される点が、第１〜第４実施形態と異なる。以下では、第１〜第４実施形態との相違点についてのみ説明する。
【００４７】
表示部１０の表示面上には、操作部として、タッチパネル（不図示）が備えられる。タッチパネルが受け付けた操作入力に応じた信号は、制御部１１１に入力される。制御部１１１は、タッチパネルが受け付けた操作入力に応じた信号が入力された場合、スピーカ１１４から出力中の音色（プライマリ）のまま、出力中のリズムを繰り返す（ループさせる）。さらに、制御部１１１は、出力中の音色とは異なる音色（セカンダリ）の音でリズムを出力することで音を重ねる。
【００４８】
なお、電子機器１００は、通信部（不図示）を備えてもよい。また、出力部１１０は、通信部が他の電子機器から受信した音色データとは異なる音色で、音を出力してもよい。これにより、制御部１１１は、出力中の音色とは異なる音色の音のリズムを出力することで、他の電子機器と音を重ねることができる。
【００４９】
以上のように、電子機器１００は、操作部として、タッチパネル（不図示）を備える。出力部１１０は、出力中の音色（プライマリ）のまま、出力中のリズムをループさせ、出力中の音色とは異なる音色（セカンダリ）の音でリズムを出力する。
この構成により、出力部１１０は、出力中の音色のまま、出力中のリズムをループさせ、出力中の音色とは異なる音色の音でリズムを出力する。これにより、電子機器１００は、１台で複数の音色を出力する（音を重ねる)ことができる。
【００５０】
また、電子機器１００は、他の電子機器と音色データを送受信する通信部（不図示）を備え、出力部１１０は、前記通信部が受信した音色データにより定まる音色とは異なる音色の音を出力する。
この構成により、出力部１１０は、前記通信部が受信した音色データにより定まる音色とは異なる音色の音を出力する。これにより、電子機器１００は、他の電子機器との間でテンポを共通としながら、他の電子機器と異なる音色の音を出力することができる。
【００５１】
［第６実施形態］
第６実施形態では、ユーザによる電子機器の持ち方（横持ち、縦持ち、斜め持ち）に応じて音色及び音高が変更される点が、第１〜第５実施形態と異なる。以下では、第１〜第５実施形態との相違点についてのみ説明する。
【００５２】
センサ１１７（図８を参照）は、電子機器１００の姿勢、すなわち、ユーザの電子機器１００の持ち方を検知する。制御部１１１は、出力部１１０により出力される音の音色及び音高のうち少なくとも一方を、センサ１１７により検知された姿勢に応じて定める。
【００５３】
なお、検知部２２は、接触位置ｆ１〜ｆ５（図６を参照）に接触している指の種類と、接触位置ｆ１〜ｆ５の位置関係とに基づいて、ユーザによる筐体の持ち方（例えば、向き、左右の手による差異）を判定してもよい。例えば、検知部２２は、接触位置ｆ１〜ｆ５の並び順が、電子機器１００の筐体に対して時計回り（図６を参照）であるか否かに基づいて、電子機器を持つユーザの手が左右の手のいずれであるかを検知する。
【００５４】
以上のように、電子機器１００は、自機器の姿勢を検知するセンサ１１７（姿勢センサ）を備え、制御部１１１は、出力部１１０により出力される音の音色及び音高のうち少なくとも一方を、センサ１１７により検知された前記姿勢に応じて定める。
この構成により、制御部１１１は、出力部１１０により出力される音の音色及び音高のうち少なくとも一方を、センサ１１７により検知された前記姿勢に応じて定める。これにより、電子機器１００は、ユーザによる電子機器１００（筐体）の持ち方（例えば、向き、左右の手による差異）に応じて、音を変更することができる。
【００５５】
［第７実施形態］
第７実施形態では、イメージセンサが併用され、明るさ及び色（平均値等）に応じて音色及び音高が変更される点が、第１〜第６実施形態と異なる。以下では、第１〜第６実施形態との相違点についてのみ説明する。
【００５６】
図９には、電子機器の構成例がブロック図により示されている。電子機器１００は、撮像部１１６（イメージセンサ）をさらに備える。撮像部１１６は、撮像した画像に応じた画像データを、制御部１１１に出力する。制御部１１１は、撮像した画像の平均色、テクスチャ、動き及び明るさのうち少なくとも一つを、画像データに基づいて識別する。制御部１１１は、撮像した画像の平均色、テクスチャ、動き及び明るさのうち少なくとも一つに応じて、出力部１１０により出力される音の音量及び音色を定める。
【００５７】
以上のように、電子機器１００は、撮像する撮像部１１６（イメージセンサ）を備え、出力部１１０は、撮像部１１６により撮像された画像に応じて、音を出力する。例えば、出力部１１０は、撮像された画像の明るさ、テクスチャ、動き又は平均色に応じて、音量及び音色を変更してもよい。
この構成により、出力部１１０は、撮像部１１６により撮像された画像に応じて、音を出力する。これにより、電子機器１００は、撮像された画像の明るさ及び平均色に応じて、音量及び音色を変更することができる。
【００５８】
［第８実施形態］
第８実施形態では、マイクを使ってサンプリングされた音が音源として使用される点が、第１〜第７実施形態と異なる。以下では、第１〜第７実施形態との相違点についてのみ説明する。
【００５９】
図１０には、電子機器の構成例がブロック図により示されている。電子機器１００は、マイク１１３をさらに備える。マイク１１３は、電子機器１００の周囲から音を収音（サンプリング）し、収音した音に応じた音データを制御部１１１に出力する。制御部１１１は、マイク１１３が収音した音に応じた音データを、記憶部１１２に記憶させる。出力部１１０は、収音された音に応じた音データを記憶部１１２から取得し、その音データによる音をスピーカ１１４から出力する。
【００６０】
以上のように、電子機器１００は、収音するマイク１１３を備え、出力部１１０は、マイク１１３により収音された音を出力する。
この構成により、出力部１１０は、マイク１１３により収音された音を出力する。これにより、電子機器１００は、マイク１１３により収音（サンプリング）された音源による音を出力することで、ユーザが意図した様々なリズムを出力することができる。
【００６１】
以上、この発明の実施形態について図面を参照して詳述してきたが、具体的な構成はこの実施形態に限られるものではなく、この発明の要旨を逸脱しない範囲の設計等も含まれる。
【００６２】
また、上記に説明した電子機器を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００６３】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００６５】
１０…表示部、１１…ベース部、１６…振動部、２２…検知部、２６…カバー部材、１００…電子機器、１０１…第一筐体部分、１０２…第二筐体部分、１１０…出力部、１１１…制御部、１１２…記憶部、１１３…マイク、１１４…スピーカ、１１５…操作部、１１６…撮像部（イメージセンサ）、１１７…センサ（加速度センサ、姿勢センサ）、Ｆａ〜Ｆｄ…側面
【図１】
2013148657.tif 000003
【図２】
2013148657.tif 000004
【図３】
2013148657.tif 000005
【図４】
2013148657.tif 000006
【図５】
2013148657.tif 000007
【図６】
2013148657.tif 000008
【図７】
2013148657.tif 000009
【図８】
2013148657.tif 000010
【図９】
2013148657.tif 000011
【図１０】
2013148657.tif 000012